(57)【要約】【課題】  本考案は携帯電話機のキー入力を使用して韓国語を入力する携帯韓国語入力装置に関する。【解決手段】  本考案は、携帯電話機２０に配設された数字キーや、方向キー等の各種キーを使用し、ディスプレイにハングル文字の子音＋母音、又は子音＋母音＋子音の選択を行い、表示される文字候補からハングル文字の指定を行う。このように構成することにより、携帯電話機２０において、ハングル文字の検索を行い、検索したハングル文字を日本語に変換するシステムを構築することができる。【選択図】図１
0003109642.tif 000002
【実用新案登録請求の範囲】
【請求項１】
携帯電話機のキー操作によってハングル文字の子音を選択する子音選択手段と、
前記携帯電話機のキー操作によってハングル文字の母音を選択する母音選択手段と、
前記子音選択手段及び母音選択手段によって選択された子音と母音の組み合わせに基づいて表示される候補文字から所望のハングル文字を指定する指定手段と、
を備えたことを特徴とする携帯韓国語入力装置。
【請求項２】
前記子音と母音の組み合わせに基づく表示後、更に携帯電話機のキー操作によってハングル文字の子音を選択することを特徴とする請求項１記載の携帯韓国語入力装置。
【請求項３】
前記キー操作は、前記携帯電話機に配設されたテンキーと方向キーであることを特徴とする請求項１、又は２記載の携帯韓国語入力装置。
【考案の詳細な説明】
【技術分野】
【０００１】
本考案は携帯電話機のキー入力を使用して韓国語を入力する携帯韓国語入力装置に関する。
【背景技術】
【０００２】
近年、パーソナルコンピュータ（ＰＣ）にアプリケーションをインストールし、韓国語による文字入力を行う提案が行われている。韓国語に用いられるハングル文字は、字母と呼ばれる発音記号を音節毎に組み合わせて構成されている。この組合せには、子音＋母音、又は子音＋母音＋子音の２通りの組合せがあり、最初の子音は初声子音、最後の子音は終声子音と呼ばれ、母音は中声母音と呼ばれている。
【０００３】
このようなハングル文字列の入力機能を具備するコンピュータでは、上記した各字母はそれぞれキーボードの所定キーに割当てられている。そして、ハングル文字列による文字入力時には、初声子音、中声母音の順に字母の入力を行い、さらに必要に応じて「終声子音」の入力を行い、ハングル文字の一文字を組み立てる。
【０００４】
また、特許文献１は韓国語や中国語などの日本語と異なる文字の入力方法を開示する。
【特許文献１】特開平１０−１２４５０５号公報
【考案の開示】
【考案が解決しようとする課題】
【０００５】
しかしながら、近年携帯電話機の機能が向上し、携帯電話機においても韓国語入力の必要性が増している。
そこで、本考案は携帯電話機のキー入力を使用し、携帯性のある韓国語入力装置を提供するものである。
【課題を解決するための手段】
【０００６】
本考案は上記課題を解決するため、携帯電話機のキー操作によってハングル文字の子音を選択する子音選択手段と、前記携帯電話機のキー操作によってハングル文字の母音を選択する母音選択手段と、前記子音選択手段及び母音選択手段によって選択された子音と母音の組み合わせに基づいて表示される候補文字から所望のハングル文字を指定する指定手段とを備えた携帯韓国語入力装置を提供することによって達成できる。
【０００７】
このように構成することにより、携帯電話機を使用して韓国語の検索処理や韓日辞典の使用を行うことができる。
また、前記子音と母音の組み合わせに基づく表示後、更に携帯電話機のキー操作によってハングル文字の子音を選択できる構成である。このように構成することにより、子音＋母音の組合わせのみならず、子音＋母音＋子音の組合せのハングル文字の検索が可能となる。
【０００８】
さらに、前記キー操作は、例えば前記携帯電話機に配設されたテンキーと方向キーである。このように構成することにより、より簡単な操作でハングル文字の検索を行うことができる。
【考案の効果】
【０００９】
本考案の韓国語入力装置によれば、ハングル文字の検索や、韓日変換処理を行うことができ、携帯性のある韓国語入力装置、及び韓日辞典として有効利用することができる。
【考案を実施するための最良の形態】
【００１０】
以下、本考案の実施形態について、図面を参照して詳細に説明する。
図１は、本実施形態の携帯韓国語入力装置の実施に使用する携帯電話機の構成を示す図である。尚、携帯電話機の全体図は省略し、キー入力部のみを示す。同図に示すように、携帯電話機２０には０〜９の数字キーや、方向キー、井桁キー等の各種キーで構成され、同図に示すキー入力部の上部に不図示のディスプレイが配設されている。
【００１１】
図２（ａ）に示す画面は、携帯電話機２０のディスプレイに表示される初期画面を示す。「韓日・日韓辞典」の表示と共に、「１」〜「３」の選択ボタンが表示され、利用者の希望するモードへの移行が可能である。また、同図（ｂ）は、各キーの機能を示し、例えば「１」が指定された場合、「韓日辞典」モードに移行し、「２」が指定された場合、「日韓辞典」モードに移行し、「３」が指定された場合、「使い方」の説明モードに移行する。
【００１２】
尚、同図（ａ）に示す「終了」ボタン、及び「ヘルプ」ボタンは、それぞれ同図（ｂ）に示す機能を有する。
ここで、利用者が「韓日辞典」を選択すべく、「１」の数値キーを押下すると、図３（ｂ）に示す子音選択画面に移行する。尚、図３（ａ）に示す画面は、上記図２（ａ）に示す初期画面と同じである。
【００１３】
次に、図４は、図３（ｂ）に示す子音選択画面におけるキー機能を説明する図である。利用者が希望する子音を選択する際、図４に示す方向キーを押下する。例えば、方向キー（Ｕｐ）を押下すると、指定する文字が上に移動し、方向キー（Ｄown）を押下すると、指定する文字が下に移動する。また、方向キー（Ｌeft）を押下すると、指定する文字が左に移動し、方向キー（Ｒight）を押下すると、指定する文字が右に移動する。
【００１４】
したがって、利用者は上記方向キーを押下して希望する子音の位置を特定する。その後、「選択」ボタンを押下して希望する子音を確定する。例えば、本例では、図３（ｂ）にａで示す子音が選択されるものとする。
【００１５】
上記処理によって、携帯電話機２０のディスプレイには次の母音選択画面が表示される。図３（ｃ）に示す画面は母音選択画面であり、図５に当該画面のキー機能を説明する。前述と同様、利用者は希望する母音を選択する際、方向キーを押下し、希望する母音を特定する。そして、「選択」ボタンを押下して母音を確定する。本例では、図３（ｃ）にｂで示す母音が選択されたものとする。
【００１６】
上記処理によって、携帯電話機２０のディスプレイには選択された子音と母音の組みが表示される。本例では、上記のようにａで示す子音と、ｂで示す母音が選択され、図３（ｄ）にｃ示す子音＋母音の組みが表示される。また、上記子音＋母音で構成されるハングル文字候補も表示される。
【００１７】
図６は、表示されたハングル文字候補から所望の文字を選択する際のキー機能を示す。前述と同様、利用者は方向キーを押下し、希望するハングル文字を特定する。そして、「選択」ボタンを指定して希望するハングル文字を確定する。本例では、図３（ｄ）にｄで示すハングル文字が選択されたものとする。
【００１８】
次に、希望するハングル文字が、選択された子音＋母音に、更に子音を追加した文字であるか判断する。この場合、方向キーを押下し、図３（ｅ）に示す子音の中から所望の子音を選択する。図７は、この時のキー機能を示す。
【００１９】
ここで、例えば図３（ｅ）にｅで示すハングル文字が選択されると、選択されたハングル文字の見出し候補選択画面を表示する。同図（ｆ）は、この時の見出し候補選択画面の例である。さらに、この見出し候補選択画面において、希望する番号を指定することによって、結果が詳細表示される。同図（ｇ）は、上記結果を示す例であり、携帯電話機２０のディスプレイには辞書引き結果が表示される。
【００２０】
以上のように、本例によれば携帯電話機２０のタッチキーを操作することによって、ハングル文字の検索や、希望するハングル文字、及び韓日変換処理を行うことができ、携帯性のある韓日辞典として利用することができる。
【００２１】
尚、前述の図３（ａ）において、数値キー「２」を押下した場合には、「韓日辞典」のモードに移行し、「３」が指定された場合、「使い方」の説明モードに移行することは勿論である。図３（ｈ）に示す画面は、使い方、ヘルプモードに移行した場合の表示画面例である。
【００２２】
また、図８は上記ｅに示すハングル文字以外の、子音＋母音のハングル文字の組み合わせ例であり、対応する文字候補の表示が行われる。尚、同図において、ハングル文字候補の最大数は１８文字としているが、本考案の一例であり、本考案において、ハングル文字候補の最大数は自由に設定可能である。
【図面の簡単な説明】
【００２３】
【図１】本実施形態の韓国語入力システムの実施に使用する携帯電話機の構成を示す図である。
【図２】（ａ）は、携帯電話機のディスプレイに表示される初期画面を示す図であり、（ｂ）は、各キーの機能を示す図である。
【図３】（ａ）〜（ｈ）は、携帯電話機のディスプレイに表示される画面遷移図である。
【図４】子音選択画面におけるキー機能を説明する図である。
【図５】母音選択画面におけるキー機能を説明する図である。
【図６】ハングル文字候補から所望の文字を選択する際のキー機能を示す図である。
【図７】ハングル文字の追加検索の際のキー機能を示す図である。
【図８】子音＋母音のハングル文字の組み合わせ例を示す図である。
【符号の説明】
【００２４】
２０      携帯電話機
【図１】
0003109642.tif 000003
【図２】
0003109642.tif 000004
【図４】
0003109642.tif 000005
【図５】
0003109642.tif 000006
【図６】
0003109642.tif 000007
【図７】
0003109642.tif 000008
【図８】
0003109642.tif 000009
【図３】
0003109642.tif 000010